(57)【要約】【課題】走行中のテープのエッジ損傷及びフランジの削れを緩和させるテープガイドを提供することを課題とする。【解決手段】磁気テープＭＴの幅方向移動を規制する上フランジ１２及び下フランジ１３と、上フランジ１２と下フランジ１３との間に設けられるガイド体１１を備えるテープガイド１０であって、ガイド体１１は、磁気テープＭＴの搬送方向と平行な回動軸１４を上フランジ１２と下フランジ１３との間の中心付近に有するように構成した。【選択図】  図２
2004362666.tif 000002
【特許請求の範囲】
【請求項１】
テープの幅方向移動を規制する２つのフランジと、前記フランジ間に設けられるガイド体を備えるテープガイドであって、
前記ガイド体は、前記テープの搬送方向と平行な回動軸を前記フランジ間の中心付近に有することを特徴とするテープガイド。
【請求項２】
前記ガイド体の下端に配置される前記フランジの重量は、前記ガイド体の上端に配置される前記フランジより大きいことを特徴とする請求項１に記載のテープガイド。
【請求項３】
前記フランジの大きさ又は材質を変えることで、前記重量が調節されていることを特徴とする請求項２に記載のテープガイド。
【発明の詳細な説明】
【０００１】
【発明の属する技術分野】
本発明は、テープのエッジダメージを抑制するテープガイドに関する。
【０００２】
【従来の技術】
一般に、磁気テープを記録・再生するドライブや、磁気テープの生産時に使用されるワインダ、サーボライタ等では、送出リールに巻回された磁気テープを送り出して、巻取リールで巻き取る途中で、走行方向を案内するテープガイドが設けられている（例えば、特許文献１参照）。このようなテープガイドにおいては、磁気テープの両側のエッジを挟むように適宜フランジが設けられ、磁気テープの幅方向の位置を規制している。
【０００３】
【特許文献１】
特開平０６−４４７３０号公報（段落番号［００１４］、図２等）
【発明が解決しようとする課題】
しかし、前記したテープガイドで磁気テープを案内する場合には、磁気テープがテープガイドのフランジに接触して摺動することで、磁気テープのエッジを削る場合（エッジダメージ）があった。このような状態で磁気テープを長期間走行させると、エッジダメージが進行して、磁気テープの走行性を劣化させる問題があった。特に、近年の磁気テープは、高容量化を図るべく、薄くなってきていることから、テープ強度の低下による耐久性の劣化が懸念される。
【０００４】
また、磁気テープとテープガイドのフランジが接触して摺動すると、フランジが削れて溝が形成される場合があり、そのような溝に走行中の磁気テープが接触すると、磁気テープが瞬間的に上下に変動して走行が不安定になるという問題があった。
【０００５】
そこで、本発明は、前記問題を解決するためになされたものであり、走行中のテープのエッジ損傷及びフランジの削れを緩和させるテープガイドを提供することを課題とする。
【０００６】
【課題を解決するための手段】
本発明は、前記課題を解決すべく構成されるものであり、請求項１に記載の発明は、テープの幅方向移動を規制する２つのフランジと、前記フランジ間に設けられるガイド体を備えるテープガイドであって、前記ガイド体は、前記テープの搬送方向と平行な回動軸を前記フランジ間の中心付近に有することを特徴とする。
【０００７】
このような構成によれば、通常テープがテープガイドの中央付近を走行する際は、ガイド体はテープと平行な状態を保ちつつ、その走行方向を案内する。一方、テープが幅方向に振れると、ガイド体の端部に位置するフランジにテープエッジが接触する。この際、テープの振れ方向側のテープエッジとフランジの接触圧で、ガイド体が回動軸を軸として、テープの振れ方向に合わせて回動するので、テープエッジがフランジに接触して受けるダメージを緩和することができ、また、テープエッジによるフランジの削れを緩和することができる。そして、ガイド体がある程度傾くと、テープの振れと反対方向側のテープエッジの近傍とガイド体とが接触し、その部分でテープのテンションが大きくなるので、テンションが大きい側にテープが移動する。そのため、ガイド体もテープに押されて回動し、再び元の位置に復帰する。このようにして、テープガイドはテープの幅方向の位置規制を行うことができ、テープの走行を安定させることができる。
【０００８】
請求項２に記載の発明は、請求項１に記載のテープガイドにおいて、前記ガイド体の下端に配置される前記フランジの重量は、前記ガイド体の上端に配置される前記フランジより大きいことを特徴とする。
【０００９】
このような構成によれば、テープが幅方向に振れた場合、ガイド体がテープの振れ方向に合わせて回動する。そのため、テープがフランジに接触することで受けるエッジのダメージを緩和することができ、また、テープエッジによるフランジの削れを緩和することができる。そして、ガイド体がある程度傾くと、テープの振れと反対方向側のテープエッジの近傍とガイド体とが接触し、その部分でのテープのテンションが大きくなるので、テンションが大きい側にテープが移動する。また、ガイド体の下端側のフランジの重量が上端側のフランジよりも大きいため、傾いた状態のガイド体には鉛直な状態に復帰しようとする力が加わる。そのため、ガイド体は、テープに押されることなく、自己の復帰力で、通常の鉛直状態に自動的に戻る。このようにして、テープガイドは、テープの幅方向の位置規制を行うことができ、テープの走行を安定させることができる。
【００１０】
請求項３に記載の発明は、請求項２に記載のテープガイドにおいて、前記フランジの大きさ又は材質を変えることで、前記重量が調節されていることを特徴とする。
【００１１】
このような構成によれば、容易にフランジの重量を調節することができる。このため、任意の重量に簡単に設計変更することができる。この場合、用いられる材質には、例えば、ガイド体の上端に配置されるフランジには軽量なアルミニウム、ガイド体の下端に配置されるフランジにはアルミニウムより重量の大きなステンレス等を用いることができる。
【００１２】
【発明の実施の形態】
以下、本発明に係るテープガイドの一実施の形態について、適宜図面を参照して詳細に説明する。本実施の形態では、テープガイドを磁気テープの記録再生装置である磁気テープドライブに設けた場合を想定している。
【００１３】
まず、テープガイド１０が設けられている磁気テープドライブ２０の構成について、図１を参照して説明する。参照する図面において、図１は、テープガイドが設けられた磁気テープドライブの構成を示す斜視図である。なお、磁気テープＭＴが水平に走行するように設置された図１の磁気テープドライブ２０の状態を基準に方向を定めて、以下、説明するものとする。
【００１４】
図１に示す磁気テープドライブ２０は、磁気テープＭＴに記録されている信号を再生するための装置であり、磁気テープＭＴに記録されている信号を再生する磁気抵抗効果型ヘッド（以下、「ＭＲヘッド」という）２１と、磁気テープＭＴを走行させる走行系２２とを備えて構成されている。
【００１５】
ＭＲヘッド２１は、後記する磁気テープ走行系２２の適所に配置されており、走行する磁気テープＭＴと摺動して、磁気テープＭＴに記録されている信号を再生する。具体的には、磁気テープＭＴの再生時に、ＭＲヘッド２１に含まれる磁気抵抗効果素子に定電流であるセンス電流を流し、磁気抵抗効果素子の電気抵抗値の変化を電圧の変化分として取り出すことによって、磁気テープＭＴに記録されている信号を読み出している。
【００１６】
磁気テープ走行系２２は、巻回された磁気テープＭＴを送り出す送出リール２２ａと、送出リール２２ａから送り出された磁気テープＭＴを巻き取る巻取リール２２ｂと、走行する磁気テープＭＴを案内する複数のガイドローラ２２ｃ，２２ｃと、走行する磁気テープＭＴの幅方向の位置を規制するテープガイド１０，１０を備えて構成される。なお、テープガイド１０は、ＭＲヘッド２１の両サイドに、配置されている。
【００１７】
図２に、テープガイドの斜視図を示す。
図２に示すとおり、テープガイド１０は、テープの走行を案内するガイド体１１と、ガイド体１１の上端部に設けられる上フランジ１２と、ガイド体１１の下端部に設けられる下フランジ１３と、上フランジ１２と下フランジ１３の間の中心付近に位置するようにガイド体１１に設けられる回動軸１４を有している。
【００１８】
ガイド体１１は円柱状に形成され、その材質については摺動性がよいものであればよく、金属材料や樹脂、たとえば、ＰＯＭ（ポリオキシメチレン）樹脂などが用いられる。
【００１９】
上フランジ１２及び下フランジ１３はステンレスからなり、円板状に形成される。この上フランジ１２及び下フランジ１３のガイド体１１側に位置する位置規制面１２ａ，１３ａは、磁気テープＭＴの幅方向の位置を規制して、その走行安定性を確保する。なお、本実施の形態では、上フランジ１２及び下フランジ１３の材質をステンレスとしたが、この材質は特に限定されるものではなく、適宜変更可能である。
【００２０】
回動軸１４は、ガイド体１１の高さ方向中心付近（上下フランジ１２，１３間の中心付近）を貫通して、このガイド体１１と一体となって設けられている。この回動軸１４は、磁気テープドライブ２０に立設する支持部２３，２３に回動自在に支持されており、回動軸１４が矢印Ａ又は矢印Ｂ方向に回動すると、ガイド体１１が矢印ａ，ｂ方向に回動できるように構成されている（図１参照）。
このように構成されたテープガイド１０は、通常、磁気テープドライブ２０に対して鉛直な状態で支持されている。
【００２１】
以上のように構成されたテープガイド１０の動作について、図３を参照しながら説明する。図３は、磁気テープの走行時におけるテープガイドの動作について説明する図であり、テープガイドを磁気テープの搬送方向から見た側面図である。
【００２２】
通常、ガイド体１１は磁気テープドライブ２０に対して鉛直な状態にあり、磁気テープＭＴは、図３（ａ）に示すように、ガイド体１１の長手方向中央付近に位置しながら走行し、巻取リール２２ｂに巻き取られている。
この磁気テープＭＴの走行が、例えば、巻き戻し等により幅方向にずれて、図３（ｂ）に示すように、ガイド体１１の上方向に移動すると、磁気テープＭＴの上辺のエッジＥ１が、上フランジ１２の位置規制面１２ａに接触する。このとき、ガイド体１１が回動軸１４を軸として回動自在に構成されていることから、磁気テープＭＴのエッジＥ１が上フランジ１２を上方向に押す接触圧で、ガイド体１１を矢印ｂ方向に回動させる。
【００２３】
ガイド体１１が回動すると、エッジＥ１と上フランジ１２の接触圧は緩和されるため、磁気テープＭＴのエッジＥ１の損傷を防止することができる。また、接触圧が大きい状態で、上フランジ１２の位置規制面１２ａに接触しながら磁気テープＭＴが走行を続けると、エッジＥ１によって位置規制面１２ａが溝状に削れるおそれがあるが、接触圧が緩和されるので、上フランジ１２の削れも防止することができる。なお、位置規制面１２ａの削れ部分にエッジＥ１が接触すると、磁気テープＭＴが瞬間的に上下に変動して走行が不安定になるが、この削れを防止することで、磁気テープＭＴの走行を安定的に保つことができる。
【００２４】
そして、ガイド体１１がある程度傾くと、今度は、エッジＥ１と反対側に位置するエッジＥ２とガイド体１１とが接触して、エッジＥ２付近のテンションが大きくなり、図３（ｃ）に示すように、磁気テープＭＴはガイド体１１の中央付近に復帰するように作用する。このため、ガイド体１１は回動軸１４を軸として矢印ａ方向に回動して通常の位置に復帰するとともに、磁気テープＭＴはガイド体１１の中央付近に復帰する（図３（ｄ）参照）。
なお、磁気テープＭＴが、ガイド体１１の下方向に移動する場合は、ガイド体１１の回動方向が反対になるだけで、その他の動作は前記した動作と同様であるので説明を省略する。
【００２５】
以上のように構成されたテープガイド１０によれば、以下の効果を得ることができる。
テープガイド１０は、磁気テープＭＴのエッジＥ１（又は、Ｅ２）が上フランジ１２（又は、下フランジ１３）の位置規制面１２ａ（又は、１３ａ）に当たると回動するので、その接触圧が緩和され、エッジＥ１（又は、Ｅ２）が上フランジ１２（又は、下フランジ１３）によって受ける損傷を防止することができる。そのため、磁気テープＭＴを繰り返し走行させても、走行は常に安定して、長期間にわたって低いエラーレートを実現できる。
【００２６】
また、エッジＥ１（又は、Ｅ２）と上フランジ１２（又は、下フランジ１３）の接触圧が緩和されるので、エッジＥ１（又は、Ｅ２）が上フランジ１２（又は、下フランジ１３）に接触しながら摺動することで形成される上フランジ１２（又は、下フランジ１３）の削れを防止することができる。そのため、削れにエッジＥ１（又は、Ｅ２）が接触することで磁気テープＭＴの走行が不安定になることを防止し、磁気テープＭＴの走行安定化を図ることができる。
【００２７】
また、テープガイド１０は通常、上フランジ１２及び下フランジ１３で磁気テープＭＴの幅方向の移動を規制する。一方、テープガイド１０が回動した場合は、磁気テープＭＴのエッジＥ１（又は、Ｅ２）付近のテンションが大きくなるため、磁気テープＭＴが元の位置に戻る。そのため、磁気テープＭＴの幅方向の位置を安定化して走行させることができる。
さらに、磁気テープＭＴの幅方向の位置を規制しながら走行することで、磁気テープＭＴを幅方向の振れをなくして、巻取リール２２ｂに均一に巻き取ることができるため、巻き姿を改善することができる。
【００２８】
以上、本発明に係るテープガイドの好適な一例について説明したが、本発明は以下のように実施することもできる。
【００２９】
図４は、変形例に係るテープガイドの側面図である。
前記した実施例においては、上フランジ１２と下フランジ１３を同一の形状で形成したが、下フランジ１３’の厚みＬ２を上フランジ１２の厚みＬ１より大きくするように形成することができる。このようにすれば、下フランジ１３の重量が上フランジ１２の重量よりも大きくなるため、テープガイド１０’は常に鉛直状態を保つように作用する。
【００３０】
このようなテープガイド１０’によれば、磁気テープＭＴが幅方向に振れた場合、ガイド体１１が磁気テープＭＴの振れ方向に合わせて回動する。そのため、磁気テープＭＴがフランジに接触することで受けるエッジＥ１，Ｅ２のダメージを緩和することができ、また、磁気テープＭＴのエッジＥ１，Ｅ２による上下フランジ１２，１３’の削れを緩和することができる。
【００３１】
そして、ガイド体１１がある程度傾くと、磁気テープＭＴの振れと反対方向側の磁気テープＭＴのエッジＥ１（又は、Ｅ２）とガイド体１１とが接触し、エッジＥ１（又は、Ｅ２）付近のテープテンションが大きくなるので、テンションが大きい側に磁気テープＭＴが移動する。このとき、下フランジ１３’の重量が上フランジ１２よりも大きいため、傾いた状態のガイド体１１には鉛直な状態に復帰しようとする力が加わる。そのため、ガイド体１１は、磁気テープＭＴに押されることなく、自己の復帰力で通常の鉛直状態に自動的に戻る。このようにして、テープガイド１０’は、磁気テープＭＴの幅方向の位置規制を行うことができ、磁気テープＭＴの走行を安定させることができる。
【００３２】
なお、厚みは、Ｌ２をＬ１の２倍になるようにするのが好ましい。このようにすると、厚みに合わせて重量も２倍になるが、磁気テープＭＴのガイド体１１に対する接触圧でガイド体１１を適度に回動させることができるとともに、ガイド体１１を安定して鉛直状態に保とうとする力が働き、磁気テープＭＴの幅方向の位置規制を行いながら、磁気テープＭＴの走行を安定させることができるからである。
【００３３】
また、上フランジ１２と下フランジ１３の厚みは同一にしたまま、それぞれの材質を変更して、重量を調節することもできる。例えば、上フランジには軽量のアルミニウムを用いて、下フランジ１３にはアルミニウムより重量の大きいステンレスを用いる。こうすることで、前記したテープガイド１０’と同様の効果を得ることができる。また、容易に上下フランジの重量を調節することができるため、任意の重量に簡単に設計変更することができる。
【００３４】
なお、前記した実施の形態では、磁気テープドライブ２０に設けられるテープガイド１０として説明したが、テープガイドはこれに限定されるものではなく、例えば、ベース製造工程におけるウェブの搬送用のテープガイドやワインダにおけるテープの搬送用のテープガイドとしても用いることができる。
【００３５】
【発明の効果】
請求項１に記載のテープガイドによれば、走行中のテープの幅方向の位置を規制するとともに、テープのエッジダメージ及びフランジの削れを可及的に防止することができる。
【００３６】
請求項２に記載のテープガイドによれば、テープの幅方向の規制を行うことができるとともに、回動時には、より確実にテープガイドが元の位置に戻り、テープのエッジダメージ及びフランジの削れを可及的に防止できる。
【００３７】
請求項３に記載のテープガイドによれば、フランジの重量を容易に調節することができる。
【図面の簡単な説明】
【図１】テープガイドが設けられた磁気テープドライブの構成を示す斜視図である。
【図２】テープガイドの斜視図である。
【図３】磁気テープの走行時におけるテープガイドの動作について説明する図であり、テープガイドを磁気テープの搬送方向から見た側面図である。
【図４】変形例に係るテープガイドの側面図である。
【符号の説明】
１０      テープガイド
１１      ガイド体
１２      上フランジ
１３      下フランジ
１４      回動軸
２０      磁気テープドライブ
【図１】
2004362666.tif 000003
【図２】
2004362666.tif 000004
【図３】
2004362666.tif 000005
【図４】
2004362666.tif 000006